(57)【要約】【課題】タイミングコントローラの出力ピンの数を削減し、製造コストの低減を図った液晶表示装置を提供する。【解決手段】ラッチ垂直同期信号ＬＰ−ＣＰＶを用いて、コントローラ４は、全ゲートラインを１ラインずつ順次駆動して１ライン分のＴＦＴをオン状態にするようゲートドライバＧ１、Ｇ２、…、Ｇｍに指示し、オンされたＴＦＴを介して各画素に１ライン分の画像データを書き込むようソースドライバＳ１、Ｓ２、…、Ｓｎに指示する。ラッチ垂直同期信号ＬＰ−ＣＰＶは、各ラインの表示データＤＡＴＡを液晶パネル５に出力するタイミングを示す信号である。そして、各ゲートドライバＧ１、Ｇ２、…、Ｇｍ及び各ソースドライバＳ１、Ｓ２、…、Ｓｎは、ラッチ垂直同期信号ＬＰ−ＣＰＶに従って複数のゲートライン及び複数のソースラインを駆動する。【選択図】  図６
2010262192.tif 000002
【特許請求の範囲】
【請求項１】
複数のゲートラインと複数のソースラインと前記両ラインに囲まれた複数の画素とを含む液晶パネルと、
前記液晶パネルの複数のゲートラインを駆動するゲートドライバと、
前記液晶パネルの複数のソースラインを駆動するソースドライバと、
全ゲートラインを１ラインずつ順次駆動して１ライン分のトランジスタ素子をオン状態にするよう前記ゲートドライバに指示し、オンされた前記トランジスタ素子を介して各画素に前記１ライン分の画像データを書き込むよう前記ソースドライバに指示するタイミングコントローラと、
を備えた液晶表示装置において、
前記タイミングコントローラは、前記１ライン分の画像データを前記各画素に書き込むタイミングを１ライン毎に示すラッチパルスを前記ゲートドライバ及び前記ソースドライバに供給し、
前記ゲートドライバは、前記ラッチパルスに従って、全ゲートラインを１ラインずつ順次駆動して１ライン分のトランジスタ素子をオン状態にし、
前記ソースドライバは、前記ラッチパルスに従って、オンされた前記トランジスタ素子を介して各画素に前記１ライン分の画像データを書き込むことを特徴とする液晶表示装置。
【請求項２】
前記ゲートドライバは、前記ラッチパルスのレベルが第一のレベルから第二のレベルに変化した時、前記１ライン分のトランジスタ素子をオン状態にし、
前記ソースドライバは、前記ラッチパルスのレベルが前記第二のレベルから前記第一のレベルに変化した時、オンされた前記トランジスタ素子を介して各画素に前記１ライン分の画像データを書き込むことを特徴とする請求項１に記載の液晶表示装置。
【請求項３】
前記ソースドライバは、前記ラッチパルスのレベルが第一のレベルから第二のレベルに再び変化した時、前記各画素に対する前記１ライン分の画像データの書き込みを停止し、
前記ゲートドライバは、前記ラッチパルスのレベルが前記第一のレベルから前記第二のレベルに再び変化した時、前記１ライン分のトランジスタ素子をオフ状態にするとともに、前記１ラインの次の１ライン分のトランジスタ素子をオン状態にし、
前記ソースドライバは、前記ラッチパルスのレベルが前記第二のレベルから前記第一のレベルに再び変化した時、オンされた前記トランジスタ素子を介して各画素に前記次の１ライン分の画像データを書き込むことを特徴とする請求項２に記載の液晶表示装置。
【発明の詳細な説明】
【技術分野】
【０００１】
本発明は、液晶パネルを駆動するゲートドライバ及びソースドライバを備える液晶表示装置に関するものである。
【背景技術】
【０００２】
従来のＴＦＴ−ＬＣＤモジュール（液晶モジュール）の構成について図１を参照しながら以下に説明する。同図のＴＦＴ−ＬＣＤモジュール５０１は、ゲートドライバ群（ゲート電極駆動回路）５３０、ソースドライバ群（ソース電極駆動回路）５４０、液晶パネル５５０、コントローラ５１０、を備える。
【０００３】
ゲートドライバ群５３０は、液晶パネル５５０のゲートバスラインを駆動する多出力数のＬＳＩチップであるｍ個のゲートドライバＧ１、Ｇ２、…、Ｇｍからなる。
【０００４】
ソースドライバ群５４０は、液晶パネル５５０のソースバスラインを駆動する多出力数のＬＳＩチップであるｎ個のソースドライバＳ１、Ｓ２、…、Ｓｎからなる。
【０００５】
液晶パネル５５０は、液晶層を有してマトリクス状に配置された画素と、ＲＧＢの３色からなる画素を駆動するＴＦＴ（Thin Film Transistor：薄膜トランジスタ）とからなる。ＴＦＴのゲート電極には液晶パネル５５０で水平方向に配されたゲートバスラインがｐ本接続され、ソース電極には垂直方向に配されたソースバスラインが所定本数接続されている（図２参照）。
【０００６】
ＴＦＴのゲート電極に正電圧が印加される（通常ゲートドライバ群５３０からゲートバスラインを介して印加される）とＴＦＴがＯＮ状態となり、ソース電極に印加された電圧（通常ソースドライバ群５４０からソースバスラインを介して印加される）により表示電極と共通電極との間に形成された液晶負荷容量が充電される。また、ＴＦＴのゲート電極がグランドレベルを所定時間（後述のラッチパルスＬＰの立ち上がり時間1.5μ秒に相当）経て、ＴＦＴのゲート電極に負電圧が印加されるとＯＦＦ状態となり、その時点までにソースバスラインに印加されていた電圧が液晶負荷容量に保持される。
【０００７】
このように、書き込みたい電圧をソース電極に与えてゲート電圧を制御することにより、画素に所望の電圧を保持させておくことができる。液晶層はこの保持電圧に応じて透過率が変化するので、液晶層の背面側からバックライト光を照射してカラー・フィルタを通過させ、画像表示を行うようになっている。
【０００８】
また、液晶パネル５５０にデータ表示する際には、ゲートドライバＧ１、Ｇ２、…、Ｇｍによりゲートラインを１ラインずつ順次駆動して１ライン分のＴＦＴを導通状態にし、導通されたＴＦＴを介して、ソースドライバＳ１、Ｓ２、…、Ｓｎから各画素に横１ライン分のデータを一斉に書き込む（図２参照）。
【０００９】
コントローラ５１０は、外部電源から電力を受けてゲートドライバ群５３０、ソースドライバ群５４０、および液晶パネル５５０の共通電極（コモン電極）に適した電力やデータの供給を行う液晶駆動電源回路を内蔵する。この液晶駆動電源回路は、電源電圧ＶＤＤ、ＶＣＣ、ＧＮＤおよびアナログの映像信号Ｖｉｄｅｏを供給する。
【００１０】
さらに、コントローラ５１０は、外部（ホストシステム）からの同期信号を基準として、ゲートドライバ群５３０での走査パルスの発生とソースドライバ群５４０での駆動制御信号のタイミング制御を行う。
【００１１】
図３は、コントローラ５１０からゲートドライバ群５３０又はソースドライバ群５４０に入力する主要な信号の波形を示す図である。同図においては、１選択期間を拡大して、ＣＬＫ及びＤＡＴＡを示している。１フレームは、通常６０〜７０Ｈｚである。
【００１２】
コントローラ５１０からゲートドライバＧ１、Ｇ２、…、Ｇｍに供給される制御信号は、ゲート用のクロック信号ＣＰＶ（clock pulse vertical）、及びスタートパルス信号ＳＴＶ（start pulse vertical）を含む。ゲート用のクロック信号ＣＰＶは、信号の立ち上がりに同期して駆動するゲートラインを１ラインずつシフトさせるための同期信号であり、ゲートがオンになる横方向１ライン分のＴＦＴを信号の立ち上がりに同期して１ラインずつ縦方向にシフトさせることに相当する。ゲートドライバＧ１、Ｇ２、…、Ｇｍは、クロック信号ＣＰＶのレベルがＬｏｗレベルからＨｉレベルに変化した時、１ライン分のＴＦＴをオン状態にする。スタートパルス信号ＳＴＶは、先頭のゲートラインをオンさせるタイミングを指定する同期信号であり、１フレームの開始タイミングを示す。
【００１３】
コントローラ５１０からソースドライバＳ１、Ｓ２、…、Ｓｎに供給される制御信号は、ドットクロック信号ＣＬＫ、及びラッチパルスＬＰを含む。ドットクロック信号ＣＬＫは、表示データＤＡＴＡを液晶パネル５５０に出力するための同期信号である。各ソースドライバＳ１、Ｓ２、…、Ｓｎは、表示データＤＡＴＡを、ドットクロック信号ＣＬＫに同期して液晶パネル５５０に出力する。ラッチパルスＬＰは、各ラインの表示データＤＡＴＡを液晶パネル５５０に出力するタイミングを示す信号である。各ソースドライバＳ１、Ｓ２、…、Ｓｎは、ラッチパルスＬＰの立ち上がりに同期して、オンされたＴＦＴを介して各画素に１ライン分の画像データＤＡＴＡを書き込む。
なお、特許文献１では、液晶表示装置が提案されている。
【先行技術文献】
【特許文献】
【００１４】
【特許文献１】特開２００５−７０５３９公報
【発明の概要】
【発明が解決しようとする課題】
【００１５】
上記制御信号は、ノイズによって劣化すると、致命的な誤動作の原因となる可能性がある。よって、制御信号の配線に関しては、配線間のクロストークの低減に対して細心の注意を払い、コントローラ５１０の出力ピンに接続する必要があった。
しかしながら、従来のＴＦＴ−ＬＣＤモジュール５０１を含む液晶表示装置では、タイミングコントローラ（図１ではコントローラ５１０）の出力ピンのピン数が比較的多いため、製造コスト高の一因となっていた。
【００１６】
本発明はこのような従来の課題を解決しようとするものであり、タイミングコントローラの出力ピンの数を削減し、製造コストの低減を図った液晶表示装置を提供することを目的とする。
【課題を解決するための手段】
【００１７】
本発明の液晶表示装置は、前記課題を解決するために以下の構成を備えている。
【００１８】
（１）複数のゲートラインと複数のソースラインと前記両ラインに囲まれた複数の画素とを含む液晶パネルと、
前記液晶パネルの複数のゲートラインを駆動するゲートドライバと、
前記液晶パネルの複数のソースラインを駆動するソースドライバと、
全ゲートラインを１ラインずつ順次駆動して１ライン分のトランジスタ素子をオン状態にするよう前記ゲートドライバに指示し、オンされた前記トランジスタ素子を介して各画素に前記１ライン分の画像データを書き込むよう前記ソースドライバに指示するタイミングコントローラと、
を備えた液晶表示装置において、
前記タイミングコントローラは、前記１ライン分の画像データを前記各画素に書き込むタイミングを１ライン毎に示すラッチパルスを前記ゲートドライバ及び前記ソースドライバに供給し、
前記ゲートドライバは、前記ラッチパルスに従って、全ゲートラインを１ラインずつ順次駆動して１ライン分のトランジスタ素子をオン状態にし、
前記ソースドライバは、前記ラッチパルスに従って、オンされた前記トランジスタ素子を介して各画素に前記１ライン分の画像データを書き込むことを特徴とする。
【００１９】
この構成において、ゲートドライバ及びソースドライバは、上記のラッチパルスに従って複数のゲートライン及び複数のソースラインを上記のように駆動する。そして、ゲートドライバ及びソースドライバがラッチパルスに基づく上記駆動動作を、全ライン分の画像データを全画素に書き込むまで繰り返すと、１フレーム分の画像が液晶パネルに表示される。
以上より、ゲートドライバに供給するクロック信号とソースドライバに供給するラッチパルスとをラッチパルスだけに共通化できる。よって、タイミングコントローラの出力ピンの数を削減できる。従って、製造コストの低減を図ることができる。
【００２０】
（２）前記ゲートドライバは、前記ラッチパルスのレベルが第一のレベルから第二のレベルに変化した時、前記１ライン分のトランジスタ素子をオン状態にし、
前記ソースドライバは、前記ラッチパルスのレベルが前記第二のレベルから前記第一のレベルに変化した時、オンされた前記トランジスタ素子を介して各画素に前記１ライン分の画像データを書き込むことを特徴とする。
【００２１】
この構成では、上記（１）の駆動動作を行うタイミングについて具体的に明示している。
【００２２】
（３）前記ソースドライバは、前記ラッチパルスのレベルが第一のレベルから第二のレベルに再び変化した時、前記各画素に対する前記１ライン分の画像データの書き込みを停止し、
前記ゲートドライバは、前記ラッチパルスのレベルが前記第一のレベルから前記第二のレベルに再び変化した時、前記１ライン分のトランジスタ素子をオフ状態にするとともに、前記１ラインの次の１ライン分のトランジスタ素子をオン状態にし、
前記ソースドライバは、前記ラッチパルスのレベルが前記第二のレベルから前記第一のレベルに再び変化した時、オンされた前記トランジスタ素子を介して各画素に前記次の１ライン分の画像データを書き込むことを特徴とする。
【００２３】
この構成では、上記（１）の駆動動作を行うタイミングについて一層具体的に明示している。
【発明の効果】
【００２４】
この発明によれば、タイミングコントローラの出力ピンの数を削減し、製造コストの低減を図ることができる。
【図面の簡単な説明】
【００２５】
【図１】従来の液晶表示装置の構成を示す図
【図２】液晶パネルにおいてマトリクス状に配置された全画素の配置図
【図３】コントローラ５１０からゲートドライバ群５３０又はソースドライバ群５４０に入力する主要な信号の波形を示す図
【図４】本発明の実施形態である液晶表示装置の構成を示す図
【図５】本発明の実施形態である液晶表示装置のゲートドライバ群の構成を示す図
【図６】コントローラ４からゲートドライバ群２又はソースドライバ群３に入力する主要な信号の波形を示す図
【発明を実施するための形態】
【００２６】
以下、本発明の実施形態である液晶表示装置について説明する。
【００２７】
図４は、本発明の実施形態である液晶表示装置の構成を示す図である。液晶表示装置１は、ゲートドライバ群（ゲート電極駆動回路）２、ソースドライバ群（ソース電極駆動回路）３、コントローラ４、液晶パネル５、を備える。
【００２８】
ゲートドライバ群２は、液晶パネル５のゲートバスラインを駆動する多出力数のＬＳＩチップであるｍ個のゲートドライバＧ１、Ｇ２、…、Ｇｍからなる。各ゲートドライバＧ１、Ｇ２、…、Ｇｍは、ＬＳＩチップの各入出力端子と他の構成部品の電極とを接続するために、テープキャリアと呼ばれる絶縁フィルム上に微細間隔でレイアウトされた銅箔配線と、ＬＳＩチップの固定および防湿を目的とした封止樹脂とからなるＴＣＰ（テープキャリアパッケージ）に実装されている。
【００２９】
ソースドライバ群３は、液晶パネル５のソースバスラインを駆動する多出力数のＬＳＩチップであるｎ個のソースドライバＳ１、Ｓ２、…、Ｓｎからなる。各ソースドライバＳ１、Ｓ２、…、ＳｎもゲートドライバＧ１、Ｇ２、…、Ｇｍと同様にＴＣＰに実装されている。
【００３０】
液晶パネル５は、液晶層を有してマトリクス状に配置された画素と、ＲＧＢの３色からなる画素を駆動するＴＦＴ（Thin Film Transistor：薄膜トランジスタ）とからなる。ＴＦＴのゲート電極には液晶パネル５で水平方向に配されたゲートバスラインがｐ本接続され、ソース電極には垂直方向に配されたソースバスラインが所定本数接続されている（図２参照）。画素側では、ＴＦＴのドレイン電極に接続された電極が表示電極となり、液晶層を挟んでこの表示電極に対向する電極が全画素に対する共通電極（コモン電極）となっている。また、表示電極とゲートバスラインとの間には補助容量が形成される。
なお、この実施形態では、トランジスタ素子としてＴＦＴを採用しているが、実施の際は、その他のトランジスタ素子を採用しても構わない。
【００３１】
ＴＦＴのゲート電極に正電圧が印加される（通常ゲートドライバ群２からゲートバスラインを介して印加される）とＴＦＴがＯＮ状態となり、ソース電極に印加された電圧（通常ソースドライバ群３からソースバスラインを介して印加される）により表示電極と共通電極との間に形成された液晶負荷容量が充電される。また、ＴＦＴのゲート電極がグランドレベルを所定時間（後述のラッチ垂直同期信号ＬＰ−ＣＰＶの立ち上がり時間1.5μ秒に相当）経て、ＴＦＴのゲート電極に負電圧が印加されると、ＴＦＴのゲート電極がＯＦＦ状態となり、その時点までにソースバスラインに印加されていた電圧が液晶負荷容量に保持される。
【００３２】
このように、書き込みたい電圧をソース電極に与えてゲート電圧を制御することにより、画素に所望の電圧を保持させておくことができる。液晶層はこの保持電圧に応じて透過率が変化するので、液晶層の背面側からバックライト光を照射してカラー・フィルタを通過させ、画像表示を行うようになっている。
【００３３】
また、液晶パネル５にデータ表示する際には、ゲートドライバＧ１、Ｇ２、…、Ｇｍによりゲートラインを１ラインずつ順次駆動して１ライン分のＴＦＴを導通状態にし、導通されたＴＦＴを介して、ソースドライバＳ１、Ｓ２、…、Ｓｎから各画素に横１ライン分のデータを一斉に書き込む（図２参照）。
【００３４】
コントローラ４は、外部電源から電力を受けてゲートドライバ群２、ソースドライバ群３、および液晶パネル５の共通電極（コモン電極）に適した電力やデータの供給を行う液晶駆動電源回路を内蔵する。この液晶駆動電源回路は、電源電圧ＶＤＤ、ＶＣＣ、ＧＮＤおよびアナログの映像信号Ｖｉｄｅｏを供給する。
【００３５】
さらに、コントローラ４は、外部（ホストシステム）からの同期信号を基準として、ゲートドライバ群２での走査パルスの発生とソースドライバ群３での駆動制御信号のタイミング制御を行う。
【００３６】
図５に、本実施の形態の液晶モジュール１の構成を示す。液晶モジュール１は、ゲートドライバ群２、ソースドライバ群３、ゲートドライバ群２及びソースドライバ群３に液晶駆動のために必要な信号を供給するコントローラ４、ゲートドライバ群２およびソースドライバ群３によって駆動される液晶パネル５から構成される。
【００３７】
ゲートドライバ群（表示用駆動装置）２は、液晶パネル（表示素子）５のゲートバスライン（図示せず）を駆動する多出力数のＬＳＩチップであるｍ個のゲートドライバ（駆動用半導体素子）ＧＤ１、ＧＤ２、…、ＧＤｍからなる。ゲートドライバＧＤ１、ＧＤ２、…、ＧＤｍは、それぞれＴＣＰｇｄ１、ｇｄ２、…、ｇｄｍに実装された状態で、コントローラ４から供給されるスタートパルス信号ＳＴＶやラッチ垂直同期信号ＬＰ−ＣＰＶなどの各種信号の入出力端子に対して縦続接続されている。縦続接続に用いられる各ＴＣＰの入力側のアウターリード端子は隣接するＴＣＰの入力側のアウターリード端子に接続されている。また、各ＴＣＰの出力側のアウターリード端子は、ゲートドライバＧＤ１、ＧＤ２、…、ＧＤｍのそれぞれから出力されるゲートパルス（駆動信号）のゲートバスラインへの引出し線として液晶パネル５に接続されている。
【００３８】
また、ゲートドライバＧＤｍのゲートドライバ群２端部側の入力端子ＣＬ、ＲＬ、および電源端子ＶＤＤ、ＶＣＣ、ＧＮＤは、液晶駆動電源回路を含んだコントローラ４に接続され、スタートパルス信号ＳＴＶ、ラッチ垂直同期信号ＬＰ−ＣＰＶ、および電源電圧がゲートドライバＧＤ１からゲートドライバＧＤｍの方向へ伝搬されるようになっている。
【００３９】
図６は、コントローラ４からゲートドライバ群２又はソースドライバ群３に入力する主要な信号の波形を示す図である。同図においては、１選択期間を拡大して、ＣＬＫ及びＤＡＴＡを示している。１フレームは、通常６０〜７０Ｈｚである。
【００４０】
コントローラ４からゲートドライバＧ１、Ｇ２、…、Ｇｍに供給される制御信号は、ゲート用のクロック信号としてのラッチ垂直同期信号ＬＰ−ＣＰＶ（clock pulse vertical）、スタートパルス信号ＳＴＶ（start pulse vertical）、及びアウトプットイネーブル信号ＯＥを含む。ゲート用のラッチ垂直同期信号ＬＰ−ＣＰＶは、信号の立ち上がりに同期して駆動するゲートラインを１ラインずつシフトさせるための同期信号であり、ゲートがオンになる横方向１ライン分のＴＦＴを信号の立ち上がりに同期して１ラインずつ縦方向にシフトさせることに相当する。ラッチ垂直同期信号ＬＰ−ＣＰＶは、図３に示すラッチパルスＬＰに相当する。ラッチ垂直同期信号ＬＰ−ＣＰＶの周期は、20.8μ秒である。スタートパルス信号ＳＴＶは、先頭のゲートラインをオンさせるタイミングを指定する同期信号であり、フレームの開始タイミングを示す。アウトプットイネーブル信号ＯＥは、上記動作をオンにするか或いはオフにして全てのゲートラインを非駆動状態にするかを指定する信号である。
【００４１】
コントローラ４からソースドライバＳ１、Ｓ２、…、Ｓｎに供給される制御信号は、ドットクロック信号ＣＬＫ、データスタート信号ＤＳＴ、及びラッチ垂直同期信号ＬＰ−ＣＰＶを含む。ドットクロック信号ＣＬＫは、表示データＤＡＴＡを液晶パネル５に出力するための同期信号である。各ソースドライバＳ１、Ｓ２、…、Ｓｎは、表示データＤＡＴＡを、ドットクロック信号ＣＬＫに同期して液晶パネル５に出力する。ラッチ垂直同期信号ＬＰ−ＣＰＶは、各ラインの表示データＤＡＴＡを液晶パネル５に出力するタイミングを示す信号である。
【００４２】
以上の制御信号を用いて、コントローラ４は、全ゲートラインを１ラインずつ順次駆動して１ライン分のＴＦＴをオン状態にするようゲートドライバＧ１、Ｇ２、…、Ｇｍに指示し、オンされたＴＦＴを介して各画素に１ライン分の画像データを書き込むようソースドライバＳ１、Ｓ２、…、Ｓｎに指示する（図２参照）。各ゲートドライバＧ１、Ｇ２、…、Ｇｍ及び各ソースドライバＳ１、Ｓ２、…、Ｓｎは、上記の制御信号に従って複数のゲートライン及び複数のソースラインを駆動する。具体的には以下のような順序で駆動する。
【００４３】
各ゲートドライバＧ１、Ｇ２、…、Ｇｍは、ラッチ垂直同期信号ＬＰ−ＣＰＶのレベルがＬｏｗレベルからＨｉレベルに変化した時、１ライン分のＴＦＴをオン状態にする。
【００４４】
各ソースドライバＳ１、Ｓ２、…、Ｓｎは、ラッチ垂直同期信号ＬＰ−ＣＰＶのレベルがＨｉレベルからＬｏｗレベルに変化した時、（即ち立下りに同期して、）オンされたＴＦＴを介して各画素に１ライン分の画像データＤＡＴＡを書き込む。１ライン分の画像データＤＡＴＡとは、図６に示す１選択期間の画像データＤＡＴＡに相当する。
なお、実施の際、各ソースドライバＳ１、Ｓ２、…、Ｓｎは、ラッチパルスＬＰの立ち上がりに同期して、オンされたＴＦＴを介して各画素に１ライン分の画像データＤＡＴＡを書き込んでも構わない。
【００４５】
各ソースドライバＳ１、Ｓ２、…、Ｓｎは、ラッチ垂直同期信号ＬＰ−ＣＰＶのレベルがＬｏｗレベルからＨｉレベルに再び変化した時、各画素に対する現在の１ライン分の画像データＤＡＴＡの書き込みを停止する。
【００４６】
各ゲートドライバＧ１、Ｇ２、…、Ｇｍは、ラッチ垂直同期信号ＬＰ−ＣＰＶのレベルがＬｏｗレベルからＨｉレベルに再び変化した時、現在の１ライン分のＴＦＴをオフ状態にするとともに、現在の１ラインの次の１ライン分のＴＦＴをオン状態にする。
【００４７】
各ソースドライバＳ１、Ｓ２、…、Ｓｎは、ラッチ垂直同期信号ＬＰ−ＣＰＶのレベルがＨｉレベルからＬｏｗレベルに再び変化した時、オンされたＴＦＴを介して各画素に次の１ライン分の画像データＤＡＴＡを書き込む。
【００４８】
各ゲートドライバＧ１、Ｇ２、…、Ｇｍ及び各ソースドライバＳ１、Ｓ２、…、Ｓｎは、ラッチ垂直同期信号ＬＰ−ＣＰＶに基づく上記駆動動作を、全ライン分の画像データＤＡＴＡを全画素に書き込むまで繰り返す（図２参照）。この結果、１フレーム分の画像が液晶パネル５に表示される。
【００４９】
以上より、ゲートドライバＧ１、Ｇ２、…、Ｇｍに供給するクロック信号ＣＰＶとソースドライバＳ１、Ｓ２、…、Ｓｎに供給するラッチパルスＬＰとをラッチ垂直同期信号ＬＰ−ＣＰＶに共通化しても、全ライン分の画像データＤＡＴＡを全画素に書き込むことができる。よって、タイミングコントローラの出力ピンの数を削減できる。従って、製造コストの低減を図ることができる。
【符号の説明】
【００５０】
１…液晶表示装置
２…ゲートドライバ群
３…ソースドライバ群
４…コントローラ
５…液晶パネル
５０１…ＴＦＴ−ＬＣＤモジュール
５１０…コントローラ
５３０…ゲートドライバ群
５４０…ソースドライバ群
５５０…液晶パネル
【図１】
2010262192.tif 000003
【図２】
2010262192.tif 000004
【図３】
2010262192.tif 000005
【図４】
2010262192.tif 000006
【図５】
2010262192.tif 000007
【図６】
2010262192.tif 000008